(57)【要約】 【課題】電池電源の消耗により解錠できない場合には、緊急的に使用する補助電源を形成して解錠することができる電池式電気錠装置を提供すること。【解決手段】  カードキーの識別信号を読み取る受信機１５と、受信した識別信号を識別するコントローラ２４と、このコントローラ２４によって施解錠制御される電気錠２３などを備えた建物ドア用の電池式電気錠装置において、前記電気錠装置を給電して常時駆動可能とするドア内側に備えられた電池電源２５と、ドア外側に設けた電池ケースに乾電池をセットして形成する補助電源５０とを設け、前記電池電源２５の電池消耗により前記電気錠装置が非駆動となったとき、前記電池ケース１８に乾電池をセットして補助電源５０を形成し、前記電気錠装置を給電して駆動可能とした構成となっている。【選択図】図１
2014211027.tif 000002
【特許請求の範囲】
【請求項１】
カードキーなどの携帯器具の識別信号を識別するコントローラと、このコントローラによって施解錠制御される電気錠とを備えた建物ドア用の電池式電気錠装置において、
前記電気錠装置を給電して常時駆動可能とするドア内側に備えられた電池電源と、ドア外側に設けた電池ケースに乾電池をセットして形成する補助電源とを設け、  
前記電池電源の電池消耗により前記電気錠装置が非駆動となったとき、前記電池ケースに乾電池をセットした補助電源により前記電気錠装置を給電し駆動可能としたことを特徴とする電池式電気錠装置。
【請求項２】
請求項１に記載した電池式電気錠装置において、
前記した補助電源の電池ケースは、ドア外面に固着して外側ハンドルを支持させた長形の台座に常時収納し、非常時に引き出し可能な構成とし、非常時に引き出した電池ケースに乾電池を収納させて補助電源を形成する構成としたことを特徴とする電池式電気錠装置。
【請求項３】
請求項２に記載した電池式電気錠装置において、
前記電池ケースは、台座に引き出し可能に設けたケース本体と、このケース本体に設けて前記台座の長手方向に直交する方向に移動可能としたスライドケースとで構成し、スライドケースを移動させてケース幅を増大させることができることを特徴とする電池式電気錠装置。
【請求項４】
請求項１乃至３のいずれかに記載した電池式電気錠装置において、
前記した電池電源はドア内側の電池ケースと、この電池ケースに収納した乾電池とで構成し、さらに、前記補助電源は、前記電池電源の電池ケースに収納された乾電池と同型、同数の乾電池がセットできる電池ケースを備える構成としたことを特徴とする電池式電気錠装置。
【請求項５】
請求項１乃至４のいずれかに記載した電池式電気錠装置において、
前記した補助電源と前記電池電源とは、電気錠装置に対し並列接続する構成としたことを特徴とする電池式電気錠装置。    
【発明の詳細な説明】
【技術分野】
【０００１】
本発明は、建物用ドアなどに備える電池電源式の電気錠装置に関する。
【背景技術】
【０００２】
建物用ドアに備える錠装置、例えば、賃貸住宅などの玄関ドアに備えられた錠装置は、入居者が変わる度にシリンダー錠を交換する必要があった。
そのため、入居者がシリンダー錠の交換費用を負担することが多かった。
しかし現今では、上記のような玄関ドアには、鍵コード（ＩＤコード）の登録・抹消が簡単に行うことができ、シリンダー錠の交換が不要な電気錠装置が備えられことが多くなっている。
【０００３】
この電気錠装置は、ＩＤコードが磁気記録されたカードキーからコードを読み取る磁気読取機と、その磁気読取機の出力信号を入力して信号処理してキーのＩＤコードを識別するコントローラと、当該コントローラの識別信号に応動して施解錠動作する電気錠とを備えている。
また、上記の電気錠装置は、コントローラや電気錠のモータなどを駆動する電力源として電池電源を備えた構成のものが広く知られている。
具体的には、上記した磁気読取機が玄関ドアの外面側に配置され、上記したコントローラ、電気錠、電池電源などをドア内面に固着させてドアハンドルを支持させた台座内に配設されている。
【０００４】
その他に、電気錠装置としては、住居者が携帯する携帯機からの無線信号を受信し、コントローラがその受信信号からキーのＩＤコードを識別し電気錠を施解錠させる構成のものもある。
【先行技術文献】
【特許文献】
【０００５】
【特許文献１】特許第３９４２２２２号公報
【発明の概要】
【発明が解決しようとする課題】
【０００６】
上記した従来の電気錠装置は、家庭用のＡＣ１００Ｖを電力源として動作するものや乾電池を電力源として動作するものがあるが、乾電池を電力源とする場合は、電池電源の乾電池が電気錠装置を駆動することができないほど消耗しているときには、施解錠させることができない。
したがって、電気錠装置の他にシリンダー錠が備えられていない玄関ドアなどの場合は、外出時に施錠し、帰宅時に解錠するときに、電池電源の乾電池が消耗しておれば、ドア外からは解錠することができなくなり、閉め出されてしまうことになる。
【０００７】
また、電気錠装置と他にシリンダー錠が設置されている場合でも同様に閉め出されてしまうことがある。
つまり、キーを室内に置き忘れて外出してしまったような場合には、シリンダー錠による解錠ができないから、電池電源の乾電池が消耗しておれば、閉め出されることになる。
【０００８】
なお、電池電源は消耗した乾電池を新たな乾電池に交換することによって蓄積電力が回復するが、電池電源が玄関ドア内面に固着された台座内に配設されていること、玄関ドアが施錠されて開くことができないために、ドア外からの電池交換が困難となるため、上記のような問題が生ずる。
【０００９】
そこで本発明では、上記した実情にかんがみ、電池電源の蓄積電力消耗により解錠できない非常時の場合には、緊急的に使用する補助電源を形成して解錠することができる電池式電気錠装置を提供することを目的とする。
【課題を解決するための手段】
【００１０】
上記した目的を達成するために、本発明では第１の発明として、カードキーなどの携帯器具の識別信号を識別するコントローラと、このコントローラによって施解錠制御される電気錠とを備えた建物ドア用の電池式電気錠装置において、前記電気錠装置を給電して常時駆動可能とするドア内側に備えられた電池電源と、ドア外側に設けた電池ケースに乾電池をセットして形成する補助電源とを設け、
前記電池電源の電池消耗により前記電気錠装置が非駆動となったとき、前記電池ケースに乾電池をセットした補助電源により前記電気錠装置を給電し駆動可能としたことを特徴とする電池式電気錠装置を提案する。
【００１１】
第２の発明としては、前記した第１の発明の電池式電気錠装置において、前記した補助電源の電池ケースは、ドア外面に固着して外側ハンドルを支持させた長形の台座に常時収納し、非常時に引き出し可能な構成とし、非常時に引き出した電池ケースに乾電池を収納させて補助電源を形成する構成としたことを特徴とする電池式電気錠装置を提案する。
【００１２】
第３の発明としては、前記した第２の発明の電池式電気錠装置において、前記電池ケースは、台座に引き出し可能に設けたケース本体と、このケース本体に設けて前記台座の長手方向に直交する方向に移動可能としたスライドケースとで構成し、スライドケースを移動させてケース幅を増大させることができることを特徴とする電池式電気錠装置を提案する。
【００１３】
第４の発明としては、前記した第１の発明乃至第３の発明のいずれかの電池式電気錠装置において、前記した電池電源はドア内側の電池ケースと、この電池ケースに収納した乾電池とで構成し、さらに、前記補助電源は、前記電池電源の電池ケースに収納された乾電池と同型、同数の乾電池がセットできる電池ケースを備える構成としたことを特徴とする電池式電気錠装置を提案する。
【００１４】
第５の発明としては、前記した第１の発明乃至第４の発明のいずれかの電池式電気錠装置において、前記した補助電源と前記電池電源とは、電気錠装置に対し並列接続する構成としたことを特徴とする電池式電気錠装置。    
【発明の効果】
【００１５】
第１の発明の電池式電気錠装置は、通常時には電気錠装置が電池電源によって給電されて駆動可能となっているので、施錠状態にある電気錠装置にキーカードなどを使って識別信号を入力させれば、コントローラが識別信号を識別して電気錠を解錠動作させる。
【００１６】
また、長期の使用により電池電源の乾電池が一定レベル以下の蓄積電力に消耗している場合（以下、「乾電池の消耗」という）には、電気錠装置が非駆動の状態となるめ、解錠も施錠もすることができない。
しかし、解錠状態で電池電源の乾電池が消耗している場合には、ドアを開くことができるので、ドア内側に備えられている電池電源の乾電池を新しい乾電池に交換して電力を回復させることができ、電気錠装置が通常の通電状態となる。
【００１７】
反面、施錠状態で電池電源の乾電池が消耗して電気錠装置が非駆動となった場合には、ドア外からは解錠することができない非常時となる。
したがって、外出から帰宅して施錠されている電気錠装置の解錠を試みても解錠することができなく、ドアを開くことができず、いわゆる閉め出し状態となる。
そこで、乾電池を購入してドア外にある電池ケースに乾電池をセットし、補助電源を形成して電気錠装置を給電する緊急的な措置を行なう。
【００１８】
この状態では電池電源の乾電池が消耗していても電気錠装置が駆動可能となるから、ドア外からカードキーなどを使って解錠することができる。
なお、補助電源を使って解錠することは、非常時となるから、消耗した電池電源の乾電池はその後に新しい乾電池と交換することになる。
【００１９】
第２の発明の電池式電気錠装置によれば、通常時には補助電源の電池ケースが台座内に収納されているから、補助電源の設備がドア外には表れないので、装飾的に優れている。
また、電池電源の乾電池が消耗したときの緊急時には、台座から電池ケースを引き出して乾電池をセットすれば、補助電源を形成することができる。
【００２０】
第３の発明の電池式電気錠装置は、スライドケースを移動させて電池ケースのケース幅を増大させて、乾電池をセットすることができる。
すなわち、電池ケースは台座に収納させる関係で、幅広には構成することができない場合があるので、スライドケースを設けることで、ケース幅を増大させて、乾電池の収納が可能になる。
【００２１】
第４の発明の電池式電気錠装置は、ドア内側の電池電源の電池ケースと、ドア外側の補助電源の電池ケースとが、同型、同数の乾電池が収納できる構成となっているので、非常時に補助電源の電池ケースにセットして使用した乾電池を、その後に補助電源の電池ケースから取り出し、取り出した乾電池をドア内側の電池電源の電池ケースにセットして使用することができる。
【００２２】
第５の発明の電池式電気錠装置は、前記した補助電源と前記した電池電源とは電気錠装置に対して並列接続としてあるので、電池電源の乾電池が消耗した場合には、補助電源が同一の電圧電源として給電する。
【図面の簡単な説明】
【００２３】
【図１】図１（Ａ）は、ドア外面のハンドル部分を示した斜視図、同図（Ｂ）は、ドア内面のハンドル部分を示した斜視図である。
【図２】図３上のＡーＡ線に沿って切断し台座に収納された補助電源の電池ケース部分を示した断面図である。
【図３】収納された補助電源の電池ケース部分を示したドア外面の台座の横断面図である。
【図４】図４（Ａ）は、図３上のＢーＢ線断面図、同図（Ｂ）は、補助電源の電池ケースを引き出した状態を示す図４（Ａ）同様の断面図である。
【図５】補助電源の電池ケースを引き出した状態を示す図２同様の断面図である。
【図６】スライドケースを移動させて電池ケースの横幅を増大させた状態を示した図５同様の断面図である。
【図７】補助電源の電池ケースの背面を示した拡大部分図である。
【図８】台座と電池ケースとに設けたクリック機構を示す部分拡大図である。
【図９】電気錠装置に並列接続された電池電源と補助電源を示す回路ブロック図である。
【発明を実施するための形態】
【００２４】
次に、本発明の一実施形態について図面に沿って説明する。
本実施形態は建物用の玄関ドアに備えた電気錠装置を示し、この電気錠装置は、図１（Ａ）に示してあるように、外側のハンドル１１を支持させた台座１２がドア１３の外面に固着してある。
そして、この台座１２は、図３に示したように、横断面が台形の中空体で、縦長形状のものとなっており、ドア１３の外面にネジ止めして固着してある。
また、上記の台座１２には、シリンダー錠のキー孔１４、カードキー（図示省略）のＩＤコード（識別信号）を読み取る受信機１５、操作ボタン１６、インジケータ１７などが備えてあり、その上、特に、本実施形態では、補助電源５０を形成する電池ケース１８が設けてある。
なお、補助電源５０は、電池ケース１８に乾電池をセットすることで形成される。
【００２５】
さらに、本実施形態の電気錠装置は、図１（Ｂ）に示すように、内側のハンドル２１を支持させた台座２２がドア１３の内面に固着してある。
この台座２２は、ドア外側の台座１２と同様に横断面台形とした縦長の中空体としてあるが、ただ、台座１２に比べ高さを多少大きくした台座として形成してある。
そして、上記の台座２２は、ドア１３に設けられた電気錠２３とコントローラ２４とからなる電気錠装置とを覆うようにドア１３にネジ止めしてあり、また、この台座１２には電気錠装置に給電する電池電源２５の電池蓋２５ｂが設けてある。
【００２６】
なお、電池電源２５は、台座２２の一部を形成している電池蓋２５ｂを取り外し、電池ケース２５ａに乾電池を収納する構成としてあり、本実施形態では、単３型の乾電池４本を直列接続として収納させる構成となっている。
また、台座２２の表面には、電気錠を室内から手動で施解錠するサムターン２６が設けてある。
【００２７】
上記したことから分かるように、本実施形態の電気錠装置は、カードキーにより施解錠する電気錠２３の他に、鍵であるキーをキー孔１４に差し入れて操作して施解錠するシリンダー錠を備えている。
また、この電気錠装置は、電気錠の動作の他に、サムターン２６またはシリンダー錠の操作によって錠面２７からデッドボルト２８を出没させ、突出したデッドボルトを扉枠に取り付けたストライクの係止孔に係合させる本締錠と、ハンドル１１または２１の操作によってラッチボルト２９を出没させ、突出したラッチボルト２９をストライクの係止孔に突入させる仮締め用のラッチ錠とを備えている。
【００２８】
続いて、本発明の特徴となっている上記した補助電源５０の電池ケース１８について説明する。
図２、図３、図４に示した通り、補助電源５０の電池ケース１８は、合成樹脂材で略箱形に形成したもので、ドア外側の台座１２の下方部に収納されている。
すなわち、台座１２の下方部には、その一側内の上下にレール凹条溝１２ａ、１２ｂが形成してあり、また、電池ケース１８の一側部上下にはガイドレール１８ａ、１８ｂが設けてあり、そのガイドレール１８ａ、１８ｂを上記のレール凹条溝１２ａ、１２ｂに摺動自在に嵌合させてある。
【００２９】
また、図２に示した円形点線３０部分に図８に示すようなクリック機構が設けてあり、電池ケース１８がそのクリック機構によって収納位置を保持されている。
なお、クリック機構は、図８に示す通り、台座１２の内面に設けた孔部１２ｃと、この孔部１２ｃ内に設けたスプリング３１によって押動される小球３２と、電池ケース１８に設けたクリック溝１８ｃとから形成してある。
【００３０】
したがって、電池ケース１８を引き出せば、図４（Ｂ）、図５に示すように、台座１２の下方（図４（Ａ）の矢印方向）に向かって移動する。
なお、電池ケース１８を引き出すと、このケースから上方向に延設した規制板１８ｄに設けたストッパー部１８ｆ、１８ｇがレール凹条溝１２ａ、１２ｂの上端部によって係止されるため、電池ケース１８の引き出しが停止され、電池ケース１８がその引き出し位置で保持される。
【００３１】
図示の如く、本実施形態の電池ケース１８は、ドア内側の電池電源２５と同様に、４本の単３型乾電池を収納できる構成としてあるが、台座幅の関係から電池ケース１８の幅が充分にとれず、引き出しただけではケース幅が不足し、単３型の乾電池を収納することができない。
そのため、電池ケース１８は、ケース本体３３とスライドケース３４とで形成し、スライドケース３４が、図６に示す如く、横方向（図５の矢印方向）に移動する構成としてある。
【００３２】
このようにケース幅を増大せることにより、単３乾電池の収納が可能になる。
図示するように、この電池ケース１８には、４つの電池収容部３５ａ、３５ｂ、３５ｃ、３５ｄを設け、これら電池収容部３５ａ〜３５ｄにはプラス端子３６ａとマイナス端子３６ｂとを設けてある。
【００３３】
そして、これらプラス端子３６ａとマイナス端子３６ｂは、電池収容部３５ａ〜３５ｄに収納された４本の乾電池を直列接続するように配設してあり、更に、電池収容室３５ａのプラス端子３６ａと電池収容室３５ｄのマイナス端子３６ｂには外部引き出しコード３７を接続し、このコード３７を介して電気錠２３やコントローラ２４、受信機１５などからなる電気錠装置に給電する給電回路が形成してある。
【００３４】
また、上記した電池ケース１８を形成するスライドケース３４の電池収容部３５ａ〜３５ｄ各々の両側には、図７に示した如く、裏側方向（図６において紙面に垂直方向）に突出する摺動突起３４ａを設け、これらの摺動突起３４ａがケース本体３３に横長に設けたガイド溝３３ａ内を摺動することでスライドケース３４を移動させる構成としてある。
なお、最上位のガイド溝３３ａと最下位のガイド溝３３ａは、スライドケース３４の移動限界を決めるため、長さを短くて摺動突起３４ａの移動を制限するガイド溝としてある。
【００３５】
上記のように形成した電気錠装置は、電池電源２５の蓄積電力が一定レベル以上であるときは、この電池電源２５によって給電することができ常時駆動可能となっている。
したがって、カードキーを受信機１５に向ければ、カードキーのＩＤコードが読み取られてコントローラ２４に送られる。
コントローラ２４はＩＤコードを識別し、その識別結果に応じて電気錠２３を動作可能とするから、ドア外から操作ボタン１６を押し操作すれば、施錠していた電気錠２３が解錠動作する。
【００３６】
他方、電池電源２５の蓄積電力が一定レベル以下にまで消耗している場合には、電気錠装置が非駆動状態となるため、施錠されているドア１３はカードキーを使って解錠を試みても電気錠２３は解錠動作しない。
なお、このような場合、キー孔１４からキーを差し入れてシリンダー錠を動作させれば解錠することができる。
ところが、シリンダーキーは室内に置き忘れて外出することがあるため、このような場合には、電池電源２５の消耗によって解錠できなければ、締め出し状態となる。
【００３７】
そこで、本実施形態では、上記のようにドア外からの解錠ができない場合には、電池ケース１８を引き出し、この電池ケース１８に乾電池を収納して補助電源５０を形成する。
したがって、この補助電源５０は図９に示したように、電池電源２５に対して並列接続してあるので、電池電源２５に変わって給電するため、電気錠装置を駆動可能にする。
この結果、ドア外からカードキーを使って電気錠２３を解錠動作させることができるから、施錠のままで閉め出されると言う緊急時の問題を解決することができる。
【００３８】
補助電源５０を使って解錠すれば、ドア１３を開けることができるから、電池電源２５の電池蓋２５ｂを開け、消耗している乾電池を新しい乾電池と交換することができる。
なお、この場合、補助電源５０の電池ケース１８に収納した乾電池は、一時的に使用しただけであり、充分に使用することができるから、電池ケース１８から取り出した乾電池を電池電源２５の電池ケース２５ａに収納することもできる。
【００３９】
以上、好ましい実施形態について説明したが、本発明はシリンダー錠を備えていない電気錠装置についても同様に実施することができる。
また、補助電源５０の電池ケース１８に収納できる乾電池については、電池電源２５の乾電池と同型、同数としたが、電池電源２５と同等の給電電圧で給電できればよいから、補助電源５０にはその他の乾電池についても使用することができる。
【００４０】
さらに、台座１２の幅や高さが充分に大きくできる場合には、電池ケース１８にはスライドケース３４を設けなくともよい。
その他、ＩＤコードを無線信号で出力する携帯機を備え、その無線信号を受信する受信機の出力信号を用いる電気錠装置についても同様に実施することができる。
【００４１】
なお、家庭用のＡＣ１００Ｖを所定のＤＣ電圧に変換してＤＣ電力源とした電気錠装置に補助電源５０を併用して利用する場合でも、本発明を適用すれば、停電時のような非常時に電気錠装置を駆動させることができる。
この場合には、補助電源５０は上記のＤＣ電力源の出力電圧に合わせて乾電池の本数を定めればよい。
【産業上の利用可能性】
【００４２】
建物の玄関ドアなどに備える電気錠について適用することができる。
【符号の説明】
【００４３】
１１  外側のハンドル
１２  台座
１３ ドア
１５  受信機
１６  操作ボタン
１８  補助電源を形成する電源ケース
２１  内側のハンドル
２２  台座
２３  電気錠
２４  コントローラ
２５  電池電源
３３  ケース本体
３４  スライドケース
５０  補助電源
【図１】
2014211027.tif 000003
【図２】
2014211027.tif 000004
【図３】
2014211027.tif 000005
【図４】
2014211027.tif 000006
【図５】
2014211027.tif 000007
【図６】
2014211027.tif 000008
【図７】
2014211027.tif 000009
【図８】
2014211027.tif 000010
【図９】
2014211027.tif 000011